(57)【特許請求の範囲】
【請求項１】
印字器は、第一段印字器部および第二段印字器部を有し、前記第一段印字器部および第二段印字器部は、それぞれ印字器フレームに取付けた選択ホィールと印字圧受け部材との間に設けるとともに複数の印字文字を互いの間に一定間隔をおいて形成した印字用エンドレスバンドを有し、
この印字用エンドレスバンドの任意の前記印字文字を選択可能とした印字器における印字用エンドレスバンドの印字文字選択装置であって、
前記印字用エンドレスバンドは、外周面に互いに所定間隔をあけて所定数の印字文字および見出し文字をそれぞれの領域に分けて形成するとともに、その内周面には、印字文字および見出し文字に対応する部分に、選択ホィールに係合可能な駆動用突起部を形成し、この駆動用突起部は見出し文字の内周側に位置して中央位置に一対互いに隣合わせて設けられた高い駆動用突起部と、それ以外の低い駆動用突起部とからなり、
前記選択ホィールに係合する節度ボス部、および前記印字圧受け部材側に弾性部を有するとともに、上記選択ホィールおよび上記印字圧受け部材との間に位置する可動ストッパー部材と、
この可動ストッパー部材の前記弾性部に当接して該可動ストッパー部材の移動を規制するストッパー受け部材と、
前記印字圧受け部材として設けるとともに、前記印字用エンドレスバンドのこの駆動用突起部に係合しかつ前記印字用エンドレスバンドの移動にともなって前記印字文字が印字圧を適正に受けることができる印字位置に位置決め可能に正逆回転可能な節度コマと、
を設けるとともに、
前記高い駆動用突起部が前記可動ストッパー部材の前記弾性部に係合可能な場合には、当該印字用エンドレスバンドの移動にともなうこの高い駆動用突起部と前記弾性部との係合により、前記可動ストッパー部材をわずかに移動可能としつつ、前記印字用エンドレスバンドにたるみを生じさせて前記選択ホィールを空まわりさせて前記印字用エンドレスバンドの前記印字文字の選択を制限し、
前記印字用エンドレスバンドの前記高い駆動用突起部が前記可動ストッパー部材の前記弾性部に係合しない場合には、当該印字用エンドレスバンドの移動にともなって前記印字文字の選択を可能とするとともに、前記節度コマが前記印字文字への印字圧を受けることができるようにし、前記印字器フレームに形成した前記第一段印字器部および第二段印字器部それぞれのストッパーガイド部に摺動可能に係合するガイド用長窓を前記各可動ストッパー部材に形成して該各可動ストッパー部材を該各ストッパーガイド部に取付け可能とするとともに、前記第一段印字器部において、ストッパーガイド部に第１のフレーム側組違え防止用傾斜面を、その前記可動ストッパー部材にこの第１のフレーム側組違え防止用傾斜面に係合可能な第１のストッパー部材側組違え防止用傾斜面を、互いに係合可能に形成するとともに、前記第二段印字器部において、ストッパーガイド部に第２のフレーム側組違え防止用傾斜面を、その前記可動ストッパー部材にこの第２のフレーム側組違え防止用傾斜面に係合可能な第２のストッパー部材側組違え防止用傾斜面を、互いに係合可能に形成し、前記第１のフレーム側組違え防止用傾斜面、および第２のフレーム側組違え防止用傾斜面に合わせて各ストッパー部材側組違え防止用傾斜面を合わせるように、同一形状の可動ストッパー部材を反対側にひっくり返して組み込み、第一段印字器部および第二段印字器部における可動ストッパー部材の共通化が図れるようにしたことを特徴とする印字器における印字用エンドレスバンドの印字文字選択装置。
【請求項２】
前記印字用エンドレスバンドは、前記可動ストッパー部材には係合しない低い駆動用突起のみを内周面ほぼ全周にわたって有する印字用エンドレスバンドと、その一部を、交換可能としてあることを特徴とする請求項１記載の印字器における印字用エンドレスバンドの印字文字選択装置。
【請求項３】
前記印字用エンドレスバンドは、前記印字文字を形成していない外周側平坦部と、前記節度コマ側に面するとともにこの外周側平坦部に対応する内周側平坦部と、を有することを特徴とする請求項１または請求項２記載の印字器における印字用エンドレスバンドの印字文字選択装置。
【請求項４】
前記印字用エンドレスバンドを複数列に配列するとともに、この印字用エンドレスバンドの任意の列および前記印字文字を選択可能とした印字用エンドレスバンドの印字文字選択装置であって、前記複数列のいずれかの列の前記印字用エンドレスバンドは、そのほぼ全周にわたって前記印字文字を形成し、前記複数列のいずれかの列の前記印字用エンドレスバンドは、そのほぼ半周にわたって前記印字文字を形成してあることを特徴とする請求項１ないし請求項３記載の印字用エンドレスバンドの印字文字選択装置。
【請求項５】
前記印字用エンドレスバンドを複数列に配列するとともに、この印字用エンドレスバンドの任意の列および前記印字文字を選択可能とした印字用エンドレスバンドの印字文字選択装置であって、前記複数列の第１の印字領域の前記印字用エンドレスバンドは、そのほぼ全周にわたって前記印字文字を形成し、前記複数列の第２の印字領域の前記印字用エンドレスバンドは、そのほぼ半周にわたって前記印字文字を形成してあることを特徴とする請求項１ないし請求項３
記載の印字用エンドレスバンドの印字文字選択装置。
【発明の詳細な説明】
【技術分野】
【０００１】
本発明は印字器における印字用エンドレスバンドの印字文字選択装置にかかるもので、とくに携帯式のラベル印字貼付装置（ハンドラベラー）などに装着される印字器における印字用エンドレスバンドの印字文字選択装置に関するものである。
【背景技術】
【０００２】
従来のハンドラベラーなどにおいては、印字文字および見出し文字を印字用エンドレスバンドに形成し、これを回転させることにより所望の印字文字を印字可能な状態とし、インキローラなどによって印字文字にインキを塗布し、ラベルなどに押印するようにしている。
【０００３】
しかしながら、当該印字用エンドレスバンドを任意の回転範囲まで回転可能としておくと、見出し文字までがインキローラに対向してインキが塗布し、これが汚れてしまうことがあるという問題がある。
【０００４】
こうした問題を解消するために、たとえば特開平１０−４４５７５号のように、選択ホィールと印字受け台部（印字圧受け部ないし印字圧受け部材）との間に設けた印字用エンドレスバンドにたるみを生じさせて選択ホィールを空まわりさせるようにした印字器における見出し文字汚れ防止装置がある。この印字器における見出し文字汚れ防止装置によれば、見出し文字の汚れを防止しつつ印字用エンドレスバンドの耐久性を維持可能ではあるものの、上記印字受け台部における印字文字の選択操作における節度（印字文字の一文字ごとの印字受け台部への適正なセット状態、ないしセット状態の区別）を得にくい場合があるという問題があった。
【０００５】
また、印字する印字文字の種類を多くすることによって、より多くの情報を印字することが望ましい場合があるにもかかわらず、見出し文字の汚れ防止のための構成を設けている場合には、印字文字は印字用エンドレスバンドの実質的にほぼ半周部分にしかこれを形成することができず、従来のような見出し文字の汚れ防止装置を備えている場合には、ほぼ全周に印字文字がある印字用エンドレスバンドを巻き掛けることができずに、全周印字には直ちに対応することができないという問題がある。
【０００６】
すなわち、印字用エンドレスバンドの全周にわたって印字文字を形成してより多くの情報を印字可能な全周印字機能と、見出し文字の汚れ防止は可能であるが半周部分にしか印字を行うことができない半周印字機能と、を任意に組み合わせることにより、所望数の印字文字により所望量の情報を印字可能とするとともに、必要であれば見出し文字の汚れも防止可能であるという機能を有する印字用エンドレスバンドの印字文字選択装置はなかった。
【特許文献１】
特開平１０−４４５７５号公報
【発明の開示】
【発明が解決しようとする課題】
【０００７】
本発明は以上のような諸問題にかんがみなされたもので、印字用エンドレスバンドにおける見出し文字が、印字圧受け部に位置しないように、すなわちインキローラに対向しないようにしてその汚れを防止することができる印字器における印字用エンドレスバンドの印字文字選択装置であって、印字受け台部における印字文字の選択操作における節度（印字文字の一文字ごとの印字受け台部への適正なセット状態、ないしセット状態の区別）を得られるようにした印字器における印字用エンドレスバンドの印字文字選択装置を提供することを課題とする。
【０００８】
また本発明は、見出し文字汚れ防止のために印字用エンドレスバンドの回転を制限するにあたり、印字用エンドレスバンド自体に過大な回転力が作用しないようにして、摩耗や亀裂などの損傷を回避することができるようにした印字器における印字用エンドレスバンドの印字文字選択装置を提供することを課題とする。
【０００９】
また本発明は、印字用エンドレスバンドの回転を制限したときにこれを無理に回転させようとしたときに、選択ホィールを空まわりさせるとともに印字用エンドレスバンドにはそれほど負荷をかけないようにした印字器における印字用エンドレスバンドの印字文字選択装置を提供することを課題とする。
【００１０】
また本発明は、可動ストッパー部材の組み違いを防止可能な印字器における印字用エンドレスバンドの印字文字選択装置を提供することを課題とする。
【００１１】
また本発明は、とくに二段式の印字器において可動ストッパー部材の組違いを防止可能とすることで、組立て作業性の向上及びコスト低減が可能な印字器における印字用エンドレスバンドの印字文字選択装置を提供することを課題とする。
【００１２】
また本発明は、印字用エンドレスバンドの全周に印字文字が形成されているような場合（全周印字）、あるいは印字用エンドレスバンドのほぼ半周に印字文字が形成されていて残りのほぼ半周に形成された見出し文字の汚れ防止を行うような場合（半周印字）にも、つまり印字用エンドレスバンドの形態に応じて所定の印字文字を選択可能とした印字器における印字用エンドレスバンドの印字文字選択装置を提供することを課題とする。
【課題を解決するための手段】
【００１３】
すなわち本発明は、印字圧受け部に印字圧受け部材として節度コマを回転可能に設けることにより半周印字機能あるいは全周印字機能をともに持たせることができること、必要であれば選択ホィールを空まわりさせる機構を実働可能とすることに着目したもので、本発明は、
印字器は、第一段印字器部および第二段印字器部を有し、前記第一段印字器部および第二段印字器部は、それぞれ印字器フレームに取付けた選択ホィールと印字圧受け部材との間に設けるとともに複数の印字文字を互いの間に一定間隔をおいて形成した印字用エンドレスバンドを有し、
この印字用エンドレスバンドの任意の前記印字文字を選択可能とした印字器における印字用エンドレスバンドの印字文字選択装置であって、
前記印字用エンドレスバンドは、外周面に互いに所定間隔をあけて所定数の印字文字および見出し文字をそれぞれの領域に分けて形成するとともに、その内周面には、印字文字および見出し文字に対応する部分に、選択ホィールに係合可能な駆動用突起部を形成し、この駆動用突起部は見出し文字の内周側に位置して中央位置に一対互いに隣合わせて設けられた高い駆動用突起部と、それ以外の低い駆動用突起部とからなり、
前記選択ホィールに係合する節度ボス部、および前記印字圧受け部材側に弾性部を有するとともに、上記選択ホィールおよび上記印字圧受け部材との間に位置する可動ストッパー部材と、
この可動ストッパー部材の前記弾性部に当接して該可動ストッパー部材の移動を規制するストッパー受け部材と、
前記印字圧受け部材として設けるとともに、前記印字用エンドレスバンドのこの駆動用突起部に係合しかつ前記印字用エンドレスバンドの移動にともなって前記印字文字が印字圧を適正に受けることができる印字位置に位置決め可能に正逆回転可能な節度コマと、
を設けるとともに、
前記高い駆動用突起部が前記可動ストッパー部材の前記弾性部に係合可能な場合には、当該印字用エンドレスバンドの移動にともなうこの高い駆動用突起部と前記弾性部との係合により、前記可動ストッパー部材をわずかに移動可能としつつ、前記印字用エンドレスバンドにたるみを生じさせて前記選択ホィールを空まわりさせて前記印字用エンドレスバンドの前記印字文字の選択を制限し、
前記印字用エンドレスバンドの前記高い駆動用突起部が前記可動ストッパー部材の前記弾性部に係合しない場合には、当該印字用エンドレスバンドの移動にともなって前記印字文字の選択を可能とするとともに、前記節度コマが前記印字文字への印字圧を受けることができるようにし、前記印字器フレームに形成した前記第一段印字器部および第二段印字器部それぞれのストッパーガイド部に摺動可能に係合するガイド用長窓を前記各可動ストッパー部材に形成して該各可動ストッパー部材を該各ストッパーガイド部に取付け可能とするとともに、前記第一段印字器部において、ストッパーガイド部に第１のフレーム側組違え防止用傾斜面を、その前記可動ストッパー部材にこの第１のフレーム側組違え防止用傾斜面に係合可能な第１のストッパー部材側組違え防止用傾斜面を、互いに係合可能に形成するとともに、前記第二段印字器部において、ストッパーガイド部に第２のフレーム側組違え防止用傾斜面を、その前記可動ストッパー部材にこの第２のフレーム側組違え防止用傾斜面に係合可能な第２のストッパー部材側組違え防止用傾斜面を、互いに係合可能に形成し、前記第１のフレーム側組違え防止用傾斜面、および第２のフレーム側組違え防止用傾斜面に合わせて各ストッパー部材側組違え防止用傾斜面を合わせるように、同一形状の可動ストッパー部材を反対側にひっくり返して組み込み、第一段印字器部および第二段印字器部における可動ストッパー部材の共通化が図れるようにしたことを特徴とする印字器における印字用エンドレスバンドの印字文字選択装置である。
【００１７】
前記印字用エンドレスバンドは、前記可動ストッパー部材には係合しない低い駆動用突起のみを内周面ほぼ全周にわたって有する印字用エンドレスバンドと、その一部を、交換可能とすることができる。
【００１８】
上記印字用エンドレスバンドは、上記印字文字を形成していない外周側平坦部と、上記印字受け台側に係合するとともに上記印字文字に対応する内周側平坦部と、を有することができる。
【００１９】
上記印字用エンドレスバンドを複数列に配列するとともに、この印字用エンドレスバンドの任意の列および前記印字文字を選択可能とした印字用エンドレスバンドの印字文字選択装置であって、前記複数列のいずれかの列の前記印字用エンドレスバンドは、そのほぼ全周にわたって前記印字文字を形成し、前記複数列のいずれかの列の前記印字用エンドレスバンドは、そのほぼ半周にわたって前記印字文字を形成することができる。
【００２０】
前記印字用エンドレスバンドを複数列に配列するとともに、この印字用エンドレスバンドの任意の列および前記印字文字を選択可能とした印字用エンドレスバンドの印字文字選択装置であって、前記複数列の第１の印字領域の前記印字用エンドレスバンドは、そのほぼ全周にわたって前記印字文字を形成し、前記複数列の第２の印字領域の前記印字用エンドレスバンドは、そのほぼ半周にわたって前記印字文字を形成することができる。
【発明の効果】
【００２１】
本発明による印字器における印字用エンドレスバンドの印字文字選択装置においては、印字圧受け部に節度コマを回転可能に設けることおよび、印字用エンドレスバンドの外周面に互いに所定間隔をあけて所定数の印字文字および見出し文字をそれぞれの領域に分けて形成するとともに、その内周面には、印字文字および見出し文字に対応する部分に、選択ホィールに係合可能な駆動用突起部を形成し、この駆動用突起部は見出し文字の内周側に位置して中央位置に一対互いに隣合わせて設けられた高い駆動用突起部と、それ以外の低い駆動用突起部とからなることにより、印字受け台部における印字文字の選択操作における節度の適正なセット状態、ないしセット状態の区別を得られると同時に、半周印字機能あるいは全周印字機能をともに持たせることができること、半周印字の際には選択ホィールを空まわりさせる機構を実働可能とすることにして見出し文字の汚れを防止可能としたので、印字用エンドレスバンドを任意に選択することにより、全周印字あるいは半周印字（見出し文字汚れ防止機能付き）の任意の機能を発揮可能である。
【００２２】
すなわち、節度コマは印字用エンドレスバンドの内周面側の駆動用突起部に係合可能であり、全周印字および半周印字のいずれの構成にも対応可能で、さらに、とくに半周印字の場合に印字用エンドレスバンドの駆動用突起部と可動ストッパー部材との係合によって、印字用エンドレスバンドにたるみを生じさせて選択ホィールを空まわりさせることにより、見出し文字がインキローラと接触することを回避し、その汚れを防止することができる。
【発明を実施するための最良の形態】
【００２３】
つぎに本発明の実施の形態による印字用エンドレスバンドの印字文字選択装置を装備した印字器１について図１ないし図１１にもとづき説明する。
【００２４】
図１は、印字器１の分解斜視図、図２は、印字器１の断面図、図３は、図２のＩＩＩ−ＩＩＩ線断面図であって、印字器１は、印字文字選択装置２と、左右一対の印字器フレーム３と、印字選択用の操作軸４と、複数列の選択ホィール５と、複数列の節度コマ６（印字圧受け部材）と、複数列の印字用エンドレスバンド７と、を有する。
【００２５】
なお、印字器１は、トップ印字器部１Ａ（第一段印字器部）およびボトム印字器部１Ｂ（第二段印字器部）を有する二段式の構成であるが、印字文字選択装置２自体は、必要に応じて一段式印字器その他の多段式印字器の構成のものにも採用可能である。
【００２６】
印字器フレーム３は、その上部に見出し窓部８を、その下部にインキローラ対向開口部９をそれぞれ開口形成してある。
【００２７】
印字器フレーム３には押さえフレーム３Ａを形成してある。
インキローラ対向開口部９において、印字用エンドレスバンド７に接触可能に、単一の（あるいは二色式の場合にはそれぞれ色が異なる独立の）インキローラＲが転動する。
【００２８】
操作軸４は、その軸方向にこれを移動させることにより任意の列の印字用エンドレスバンド７を選択し（割り出し）、割り出した列において選択ホィール５を回転させることによりその印字用エンドレスバンド７内の特定の印字文字７Ａ（図４）を選択するもので、インジケーター１０を取付けてあるとともに、ロータリーピン部１１を突出形成してある（図３を参照）。
【００２９】
とくに図１および図３に示すように、操作軸４には、その外周面に複数列の割出し用溝４Ａを軸方向に等間隔で形成してあり、割出しスチールボール１２と、割出しスチールボール１２を割出し用溝４Ａ方向に付勢する割出しスプリング１３とにより所定の列に操作軸４およびインジケーター１０をセット（割出し）可能としてある。
【００３０】
インジケーター１０は、操作軸４の軸方向には操作軸４と一体に移動し、回転方向はフリーであって、見出し窓部８内において指針窓部１０Ａを形成してあり、この指針窓部１０Ａが所望の列を指すようになっている。
【００３１】
ロータリーピン部１１は、操作軸４と一体に移動および回転するものであり、選択ホィール５の内周面に突出し、任意の列における選択ホィール５の内周係合溝５Ａ（図２）に係合可能となっている。
【００３２】
とくに図１および図２に示すように、選択ホィール５と節度コマ６との間に、所定の張力をもって印字用エンドレスバンド７を張りわたしてある。
【００３３】
節度コマ６は、断面正方形状であって、それぞれの一辺に突起係合溝６Ａを形成してあるとともに、そのコマ回転軸６Ｂのまわりに正逆任意の方向に回転可能である。
【００３４】
図４は、印字用エンドレスバンド７の側面図であって、印字用エンドレスバンド７は、その外周面に互いに所定間隔をあけて、かつバンド基準面から互いに同じ高さで所定数（たとえば、それぞれ１４個）の印字文字７Ａおよび見出し文字７Ｂをそれぞれの領域に分けて形成してある。
【００３５】
ただし互いの境界領域には、ひとつの印字ブランク部７Ｃ（外周平坦部）をそれぞれ形成してあり、後述するように、選択ホィール５の回転を停止させて印字用エンドレスバンド７の移動を阻止する（空まわりさせる）ときには、それぞれの印字ブランク部７Ｃが見出し窓部８およびインキローラ対向開口部９に臨むことになる。
【００３６】
印字用エンドレスバンド７の内周面において、印字文字７Ａおよび見出し文字７Ｂに対応する部分には、選択ホィール５の外周係合溝５Ｂにそれぞれ係合可能な低い駆動用突起部７Ｄ、および高い駆動用突起部７Ｅを形成してある。
【００３７】
なお低い駆動用突起部７Ｄは、節度コマ６の突起係合溝６Ａにも係合可能である。
また高い駆動用突起部７Ｅは、見出し文字７Ｂの内周側に位置して中央位置にその一対を互いに隣合わせて形成している。
【００３８】
高い駆動用突起部７Ｅの数としては、印字用エンドレスバンド７の内周面において左右対象であれば、印字文字７Ａおよび見出し文字７Ｂの数などに応じて印字用エンドレスバンド７の内周面の所定領域にわたって任意に設定することができる。
【００３９】
さらに、印字用エンドレスバンド７の回転駆動方向前方（空転方向後ろ側）における印字ブランク部７Ｃに隣接する印字文字７Ａの内周面には低い駆動用突起部７Ｄを形成せずに、内周平坦部７Ｆとしてある。
【００４０】
この内周平坦部７Ｆの数は、図示の例では印字用エンドレスバンド７の内周面において、印字ブランク部７Ｃの対応内周部を含めてこれを３個としてあるが、選択ホィール５による印字用エンドレスバンド７の回転駆動および後述する空まわり（空転）が可能であれば、内周平坦部７Ｆの数は任意である。
【００４１】
低い駆動用突起部７Ｄおよび高い駆動用突起部７Ｅが、選択ホィール５の外周係合溝５Ｂに係合し、選択ホィール５の回転により、任意の印字文字７Ａをインキローラ対向開口部９においてインキローラＲと接触可能とする。
【００４２】
ただし、見出し文字７ＢがインキローラＲに接触することはない。
すなわちとくに図１および図２に示すように、印字器フレーム３には、複数列の可動ストッパー部材１４（バンドストッパー）と、印字器フレーム３に一体のストッパー受け部材１５と、を設けてある。
【００４３】
可動ストッパー部材１４は、選択ホィール５および節度コマ６との間にこれを位置させるとともに、選択ホィール５に係合する一対の節度ボス部１４Ａと、節度コマ６側の弾性部１４Ｂと、を有する。
【００４４】
さらに、可動ストッパー部材１４は、節度ボス部１４Ａを選択ホィール５の外周係合溝５Ｂに係脱可能とする。
【００４５】
ただし図２に示すように、可動ストッパー部材１４の中央部にはガイド用長窓１４Ｃを形成し、印字器フレーム３に突出形成したストッパーガイド部３Ｂ内にこのガイド用長窓１４Ｃを嵌合する。
【００４６】
通常の選択可能状態では、ガイド用長窓１４Ｃとストッパーガイド部３Ｂとの間には上側の間隙Ｓ１をあけてあり、可動ストッパー部材１４の図中下方向への摺動可能な移動および復帰移動を可能としている。
【００４７】
弾性部１４Ｂは、二股状の係止バネ部１４Ｄと、高い駆動用突起部７Ｅに係合する突起係止部１４Ｅと、弾性部傾斜面１４Ｆと、を有する。
【００４８】
ストッパー受け部材１５は、可動ストッパー部材１４と節度コマ６との間に位置しており、弾性部１４Ｂ（すなわちその弾性部傾斜面１４Ｆ）に当接する受け部傾斜面１５Ａを有する。
【００４９】
ストッパー受け部材１５は、可動ストッパー部材１４の弾性部１４Ｂに当接して可動ストッパー部材１４の移動を規制する。
なお可動ストッパー部材１４のガイド用長窓１４Ｃを非対称性としている。すなわちガイド用長窓１４Ｃの上下いずれかの端部（たとえば図中、下部）には、トップ印字器部１Ａ（第一段印字器部）側に第１のストッパー部材側組違え防止用傾斜面１４Ｇを、またボトム印字器部１Ｂ（第二段印字器部）側に第２のストッパー部材側組違え防止用傾斜面１４Ｈをそれぞれ形成してあり、それぞれのストッパーガイド部３Ｂにも第１のストッパー部材側組違え防止用傾斜面１４Ｇに対応して第１のフレーム側組違え防止用傾斜面３Ｃを、また第２のストッパー部材側組違え防止用傾斜面１４Ｈに対応して第２のフレーム側組違え防止用傾斜面３Ｄをそれぞれ形成することにより、トップ印字器部１Ａおよびボトム印字器部１Ｂのそれぞれにおけるガイド用長窓１４Ｃをそれぞれの可動ストッパー部材１４について組違えを防止可能としている。
【００５０】
すなわち、トップ印字器部１Ａおよびボトム印字器部１Ｂは、それぞれの見出し窓部８からインキローラ対向開口部９にかけて図２中の左右方向の幅を漸減させているため、それぞれの見出し窓部８における見出し文字７Ｂの中心位置がトップ印字器部１Ａおよびボトム印字器部１Ｂ（ストッパーガイド部３Ｂ）の中心縦軸線に対して互いにわずかに反対方向に傾いている。したがって、可動ストッパー部材１４は、その節度ボス部１４Ａが可動ストッパー部材１４の中心線に対して左右対象の位置にはなく、選択ホィール５に対して正しい組み合わせでこれを組み込む必要がある。
【００５１】
しかしてトップ印字器部１Ａおよびボトム印字器部１Ｂ用の可動ストッパー部材１４をそれぞれのストッパーガイド部３Ｂに組み込む際に、トップ印字器部１Ａおよびボトム印字器部１Ｂにおいてそれぞれの第１のストッパー部材側組違え防止用傾斜面１４Ｇおよび第２のストッパー部材側組違え防止用傾斜面１４Ｈが反対方向に傾斜しており、第１のストッパー部材側組違え防止用傾斜面１４Ｇおよび第２のストッパー部材側組違え防止用傾斜面１４Ｈをそれぞれ傾斜方向があっている第１のフレーム側組違え防止用傾斜面３Ｃおよび第２のフレーム側組違え防止用傾斜面３Ｄに合わせてはめ込むことにより、それぞれ正しい選択ホィール５に対して可動ストッパー部材１４を組み込み、選択ホィール５に対する組違えを防止可能である。
【００５２】
ただし、トップ印字器部１Ａおよびボトム印字器部１Ｂを有する二段式の印字器１において、印字文字７Ａないし見出し文字７Ｂの割り出し位置自体は見出し窓部８の中央位置にあって互いに対称の位置にあるため、第１のストッパー部材側組違え防止用傾斜面１４Ｇおよび第２のストッパー部材側組違え防止用傾斜面１４Ｈに合わせて反対側にひっくり返して組み込むことにより、可動ストッパー部材１４および選択ホィール５という部品自体の共通化ないし兼用化が可能である。
【００５３】
とくに図１および図２に示すように、節度コマ６には節度コマ受け部材１６を当接し、さらに節度コマ受け部材１６とストッパー受け部材１５との間に図３中左右一対のコマ用スプリング１７を配設して、節度コマ６をインキローラ対向開口部９の中央に位置する印字位置ないし所定の印字圧受け部にセット可能として節度コマ６が印字圧を受けることができるようにしているとともに、それぞれの列における印字用エンドレスバンド７の回転移動にともなって節度コマ受け部材１６が所定の姿勢ないし角度に傾斜するとともに図示の元位置に復帰し、節度コマ６の節度をもった回転を可能としている。
【００５４】
とくに図３に示すように、コマ回転軸６Ｂは印字器フレーム３の軸孔部３Ｅに係合している。
【００５５】
なおとくに図１および図２に示すように、印字用エンドレスバンド７、可動ストッパー部材１４および選択ホィール５による各列の間に見出しスペーサー１８を設けることにより、ある一列の選択ホィール５を回転駆動しているときに隣合う列の選択ホィールがともまわりしてしまうことを防止している。
【００５６】
さらに、トップ印字器部１Ａおよびボトム印字器部１Ｂの間にバンドシャッター１９を設けることにより、隣合う印字用エンドレスバンド７の円滑な回転を保証している。
【００５７】
こうした構成の印字器１およびその印字用エンドレスバンド７の印字文字選択装置２において、通常の印字選択状態では、図２および図３に示すように、操作軸４をその軸方向に移動させることにより任意の列を割り出し、その列においてこれを正逆任意の方向に回転させれば、選択ホィール５が印字用エンドレスバンド７を回転させるとともに印字圧受け部における節度コマ６がこれに合わせて適正な節度をもって回転し、印字用エンドレスバンド７の所望の見出し文字７Ｂが見出し窓部８から見える位置で停止させる。
【００５８】
この選択状態では、選択した見出し文字７Ｂに対応する印字文字７Ａがインキローラ対向開口部９において節度コマ６にセットされて露出しており、インキローラＲの転動によってこの印字文字７Ａにインキを塗布し、印字器１全体をたとえばハンドレバー（図示せず）などの操作によってラベル上に押印することにより印字することができる。
【００５９】
図２のボトム印字器部１Ｂ側（図中右側）は、図中時計方向に印字用エンドレスバンド７を回転させたときの回転阻止状態（空転状態）を示す断面図であって、まず所定の列において操作軸４を操作して選択ホィール５を回転させ、印字用エンドレスバンド７を時計方向に回転させようとしても、印字用エンドレスバンド７の高い駆動用突起部７Ｅが可動ストッパー部材１４における弾性部１４Ｂの突起係止部１４Ｅ（図中右側）に係合する。
【００６０】
したがって、これ以上選択ホィール５を回転させようとしても、高い駆動用突起部７Ｅと突起係止部１４Ｅとが係合しているので、高い駆動用突起部７Ｅないし突起係止部１４Ｅがわずかな間隔（ラップ長さＬ）だけ移動するにとどまって、選択ホィール５の回転は阻止され、印字ブランク部７Ｃが見出し窓部８およびインキローラ対向開口部９に臨むことになり、印字用エンドレスバンド７の見出し文字７Ｂがインキローラ対向開口部９に位置することを回避し、見出し文字７ＢがインキローラＲにより汚れることを防止することができる。
【００６１】
より詳細に述べると、印字用エンドレスバンド７の全周長は、選択ホィール５と節度コマ６との間の基本全周長よりわずかに長くこれを製作することにより所定のたるみを持たせてあり、可動ストッパー部材１４の突起係止部１４Ｅと印字用エンドレスバンド７の高い駆動用突起部７Ｅとが係止状態にあるとき選択ホィール５をその可動方向にさらに回転させようとした場合、この係止状態の高い駆動用突起部７Ｅと印字用エンドレスバンド７のとくに印字ブランク部７Ｃとの間の回転方向における低い駆動用突起部７Ｄ部分にたるみが集中するような応力が発生し、この低い駆動用突起部７Ｄが選択ホィール５から浮いた状態となり、外周係合溝５Ｂとの係合を解除される結果、選択ホィール５が空転することになる。
【００６２】
図２のボトム印字器部１Ｂ側は、選択ホィール５の空まわり状態を示す断面図であり、上述の回転阻止状態において、選択ホィール５を無理にこれ以上回転させようとすると、上記ラップ長さＬだけ可動ストッパー部材１４がストッパーガイド部３Ｂに案内されて図中下方に移動し、ガイド用長窓１４Ｃとストッパーガイド部３Ｂとの間には下側の間隙Ｓ２が生ずるとともに、弾性部傾斜面１４Ｆが受け部傾斜面１５Ａの上面を滑って、弾性部１４Ｂにおける左右一対の係止バネ部１４Ｄが外方に広がり、突起係止部１４Ｅと印字用エンドレスバンド７の高い駆動用突起部７Ｅとの係合をさらに強固にする。
【００６３】
この状態で、上述のように、図２中上側の印字ブランク部７Ｃ部分と突起係止部１４Ｅ部分との間の印字用エンドレスバンド７にたるみが発生し、低い駆動用突起部７Ｄが選択ホィール５の外周係合溝５Ｂから外れて選択ホィール５が空まわりする。
【００６４】
なお、選択ホィール５あるいは印字用エンドレスバンド７のその回転方向前方に突起係止部１４Ｅと高い駆動用突起部７Ｅとの係合部分が位置しているとともに、押さえフレーム３Ａが印字用エンドレスバンド７を押さえてこれが外方に広がることを抑制しているので、選択ホィール５と印字用エンドレスバンド７との間には、十分なたるみが発生し、選択ホィール５の空まわりを確実にすることができる。
【００６５】
したがって、過大な外力がかかっても選択ホィール５の空まわりさせることができるが、選択ホィール５の回転自体が、印字用エンドレスバンド７より可動ストッパー部材１４の節度ボス部１４Ａ部分にかかるとともに、可動ストッパー部材１４は印字用エンドレスバンド７より硬質であるため、その摩耗による印字選択に支障が生ずるということはない。
【００６６】
ここで、選択ホィール５を反対側（反時計方向）に回転させれば、外周係合溝５Ｂと低い駆動用突起部７Ｄとの係合が再度実現されるとともに、可動ストッパー部材１４の弾性力によって可動ストッパー部材１４は図２のトップ印字器部１Ａに示す元位置に復帰する。
【００６７】
本発明による印字器における印字用エンドレスバンドの印字文字選択装置２は、印字用エンドレスバンド７（図４）とは異なる駆動用突起部を有する他の印字用エンドレスバンドを装填してもこれを使用することができる。以下、図１ないし図４と同様の部分には同一の符号を付し、その詳述はこれを省略して説明する。
【００６８】
たとえば図５は、他の印字用エンドレスバンド２０の側面図であって、印字用エンドレスバンド２０は全周印字用であり、印字用エンドレスバンド７における印字文字７Ａ（計２８個）および互いに対称位置に一対の印字ブランク部７Ｃをその外周側に設けるとともに、その内周側に対応して低い駆動用突起部７Ｄを形成し、見出し文字７Ｂ、高い駆動用突起部７Ｅおよび内周平坦部７Ｆはこれを形成していない。
【００６９】
ここで全周に印字用の印字文字７Ａがある場合には、見出し文字７Ｂが形成されていないので、インキローラ対向開口部９に所定の印字文字７Ａがあるときに見出し窓８にはこの印字文字７Ａを示す見出し文字７Ｂがないことになるが、印字文字７Ａそれぞれの対応関係を示す文字対照表（図示せず）を準備しておくことにより、ある印字文字７Ａが見出し窓８に位置しているときには、インキローラ対向開口部９に所定の印字文字７Ａが位置していることを認識可能であり、実際の印字作業でもこのような文字対照表により印字選択が可能である。
【００７０】
図６は、この印字用エンドレスバンド２０を一方の印字器部（トップ印字器部１Ａ）側に巻き掛けた例（印字器２１）を示す断面図であって、トップ印字器部１Ａ側が全周印字機能を有し、ボトム印字器部１Ｂ側が図２と同様の半周印字機能および見出し文字７Ｂの汚れ防止機能を有する。
【００７１】
したがって、すべて半周印字の構成に比較して印字可能な文字を増加させ、所望情報量を印字可能であるとともに、半周印字における見出し文字７Ｂの汚れも確実に防止可能である。
【００７２】
さらに本発明においては、図７および図８に示すような印字器２２に簡単に変更が可能である。
【００７３】
図７は、印字器２２およびその印字用エンドレスバンドの印字文字選択装置２３の断面図、図８は、図７のＶＩＩＩ−ＶＩＩＩ線断面図であって、この印字器２２においては、さらに駆動用突起部について他の構成を有する他の印字用エンドレスバンド２４を使用することができる。
【００７４】
図９は、この印字用エンドレスバンド２４の側面図であって、印字用エンドレスバンド２４は半周印字用であり、図４に示した印字用エンドレスバンド７における印字文字７Ａおよび見出し文字７Ｂをその外周側に設けるとともに、見出し文字７Ｂの内周側に対応して低い駆動用突起部７Ｄを形成し、印字文字７Ａの内周側には低い駆動用突起部７Ｄをすべて形成せず内周平坦部７Ｆとし、印字用エンドレスバンド７と同様に、低い駆動用突起部７Ｄの途中（中央部）に一対の高い駆動用突起部７Ｅを形成している。
【００７５】
さらにとくに図７に示すように、印字器２２は、節度コマ６の代わりに、印字圧受け部材として印字受け台２５をその位置に着脱可能に設けてある。
【００７６】
すなわち印字受け台２５は、その固定用膨大部２５Ａをストッパー受け部材１５の断面円形状の係合穴部１５Ｂに係合し、その固定用軸部２５Ｂを節度コマ６のコマ回転軸６Ｂ（図３）と同じく印字器フレーム３の軸孔部３Ｅ（図８）に係合している。
【００７７】
とくに印字圧を受ける印字受け台２５の材料としては、耐摩耗性あるいは耐衝撃性にすぐれた強化プラスチックなどを採用可能であって、印字器フレーム３とは別材料とすることにより、必要に応じてこれを任意のタイミングで交換可能であるとともに、全体のコストダウンが可能である。
【００７８】
また、トップ印字器部１Ａおよびボトム印字器部１Ｂを有する二段式の印字器２２において、可動ストッパー部材１４および選択ホィール５とともに、印字受け台２５を反対側にひっくり返せば、部品自体の共通化ないし兼用化が可能である。
【００７９】
こうした構成の印字器２２においても、図２の印字器１と同様に、印字文字７Ａによる半周印字およびその見出し文字７Ｂの汚れ防止機能を発揮することができる。
【００８０】
さらに、印字器フレーム３とは別の強度のある材料から印字受け台２５を形成することにより、印字圧受け部材としての耐久性を増強することができる。
【００８１】
また、印字受け台２５が取り替え可能であるので、必要に応じて部品交換が可能であるとともに、節度コマ６と交換することにより、図４の印字用エンドレスバンド７を装填するような印字器１（図２）、あるいは印字用エンドレスバンド７に組み合わせて図５の印字用エンドレスバンド２０をも装填するような印字器２１（図６）とすることも可能である。
【００８２】
したがって、印字用エンドレスバンド７、２０、２４などを必要に応じて装填して印字器として使用可能である。
【００８３】
以上説明したように、本発明による印字器１における印字用エンドレスバンド７の印字文字選択装置２（図２）、印字用エンドレスバンド２０（図５）あるいは印字器２１（図６）や印字器２２（図７）などの構成を適宜選択することにより、任意の組み合わせで全周印字機能および半周印字機能を備えた印字器を構成することができる。
【００８４】
たとえば図１０は、一段式の印字器における見出し窓８の平面図であって、見出し窓８（すなわちインキローラ対向開口部９）の部分で示すように、その第１列目から第４列目までの第１の印字領域２６を、図５の印字用エンドレスバンド２０および図６のトップ印字器部１Ａ部分に示した印字文字選択装置２の構成を採用することにより全周印字とする。
【００８５】
さらに第５列目から第１０列目までの第２の印字領域２７を、図２の印字用エンドレスバンド７および図２に示した印字文字選択装置２の構成、あるいは図９の印字用エンドレスバンド２４および図７に示した印字文字選択装置２３の構成を採用することにより半周印字とするとともに見出し文字７Ｂの汚れ防止機能を持たせることが可能である。
【００８６】
あるいは図１１は、二段式の印字器における見出し窓８の平面図であって、図１０の場合と同様にして、図中、上側のトップ印字器部１Ａを全列全周印字とし、下側のボトム印字器部１Ｂにおいて第１列目から第４列目までの第１の印字領域２６を全周印字とし、第５列目から第１０列目までの第２の印字領域２７を半周印字とすることができる。
【００８７】
かくして、印字用エンドレスバンド２０（図５）を用いた全周印字は、より多くの印字文字７Ａを配列させておくことができるので、各種の情報表示用としてたとえばアルファベットその他任意の記号を印字可能とすることができる。
【００８８】
一方、印字用エンドレスバンド７（図４）あるいは印字用エンドレスバンド２４（図９）を用いた半周印字は、見出し文字７Ｂの汚れ防止機能付きであるとともに、たとえば算用数字などの文字を準備しておくことができる。
【００８９】
したがって、印字器による印字の種類および量に多様性を持たせて、必要な印字機能を発揮可能である。
【００９０】
以上のように本発明によれば、選択ホィールと節度コマとの間に印字用エンドレスバンドを配列して選択ホィールの空転操作による汚れ防止機能も発揮可能としたので、印字用エンドレスバンドなどによる任意の組み合わせで全周印字あるいは半周印字機能を有し、仕様の多様化に対応可能で信頼性を向上させた印字器およびその印字文字選択装置とすることができる。
【００９１】
また本発明によれば、印字受け台を印字器フレームとは別体として交換可能としたので、耐摩耗性ないし耐衝撃性にすぐれた強化プラスチック材料などを採用し、信頼性および部品交換作業性の向上に寄与することができる。
【００９２】
また本発明によれば、選択ホィールの空転操作による汚れ防止機能を発揮するための可動ストッパー部材に組違え防止用傾斜面を形成したので、組立ての際の作業性を改善するとともにコストの低減に寄与することができる。
【００９３】
また本発明によれば、複数列の印字用エンドレスバンドによる任意の組み合わせで全周印字機能および半周印字機能を実現し、印字する情報の種類および量に応じて印字文字の種類および量を設計し、印字仕様の多様化に対応可能な印字器とすることができる。
【図面の簡単な説明】
【００９４】
【図１】  本発明の実施の形態による印字用エンドレスバンドの印字文字選択装置２を装備した印字器１の分解斜視図である。
【図２】  同、印字器１の断面図である。
【図３】  図２のＩＩＩ−ＩＩＩ線断面図である。
【図４】  同、印字用エンドレスバンド７（半周印字用）の側面図である。
【図５】  同、他の印字用エンドレスバンド２０（全周印字用）の側面図である。
【図６】  同、印字用エンドレスバンド２０を一方の印字器部（トップ印字器部１Ａ）側に巻き掛けた例（印字器２１）を示す断面図である。
【図７】  同、印字器２２およびその印字用エンドレスバンドの印字文字選択装置２３の断面図である。
【図８】  図７のＶＩＩＩ−ＶＩＩＩ線断面図である。
【図９】  同、印字用エンドレスバンド２４（半周印字用）の側面図である。
【図１０】  同、一段式の印字器における見出し窓８の平面図である。
【符号の説明】
【０１０６】
１  印字器（図１、図２）
１Ａ  印字器１のトップ印字器部（第一段印字器部）
１Ｂ  印字器１のボトム印字器部（第二段印字器部）
２  印字器１における印字用エンドレスバンド７の印字文字選択装置（実施の形態、図２）
３  印字器フレーム
３Ａ  印字器フレーム３の押さえフレーム
３Ｂ  印字器フレーム３のストッパーガイド部
３Ｃ  ストッパーガイド部３Ｂの第１のフレーム側組違え防止用傾斜面
３Ｄ  ストッパーガイド部３Ｂの第２のフレーム側組違え防止用傾斜面
３Ｅ  印字器フレーム３の軸孔部（図３、図８）
４  印字選択用の操作軸
４Ａ  印字選択用の操作軸４の割出し用溝
５  複数列の選択ホィール
５Ａ  選択ホィール５の内周係合溝
５Ｂ  選択ホィール５の外周係合溝
６  複数列の節度コマ（印字圧受け部材）
６Ａ  節度コマ６の突起係合溝
６Ｂ  節度コマ６のコマ回転軸
７  複数列の印字用エンドレスバンド（半周印字用、見出し文字汚れ防止用、図４）
７Ａ  印字用エンドレスバンド７の印字文字
７Ｂ  印字用エンドレスバンド７の見出し文字
７Ｃ  印字用エンドレスバンド７の印字ブランク部（外周平坦部）
７Ｄ  印字用エンドレスバンド７の低い駆動用突起部
７Ｅ  印字用エンドレスバンド７の高い駆動用突起部
７Ｆ  印字用エンドレスバンド７の内周平坦部
８  見出し窓
９  インキローラ対向開口部
１０  インジケーター
１０Ａ  インジケーター１０の指針窓部
１１  ロータリーピン部
１２  割出しスチールボール
１３  割出しスプリング
１４  複数列の可動ストッパー部材（バンドストッパー）
１４Ａ  可動ストッパー部材１４の一対の節度ボス部
１４Ｂ  可動ストッパー部材１４の弾性部
１４Ｃ  可動ストッパー部材１４のガイド用長窓
１４Ｄ  弾性部１４Ｂの二股状の係止バネ部
１４Ｅ  弾性部１４Ｂの突起係止部
１４Ｆ  弾性部１４Ｂの弾性部傾斜面
１４Ｇ  ガイド用長窓１４Ｃの第１のストッパー部材側組違え防止用傾斜面
１４Ｈ  ガイド用長窓１４Ｃの第２のストッパー部材側組違え防止用傾斜面
１５  ストッパー受け部材
１５Ａ  ストッパー受け部材１５の受け部傾斜面
１５Ｂ  ストッパー受け部材１５の係合穴部（図７）
１６  節度コマ受け部材
１７  コマ用スプリング
１８  見出しスペーサー
１９  バンドシャッター
２０  印字用エンドレスバンド（全周印字用、図５）
２１  印字器（図６）
２２  印字器（図７、図８）
２３  印字器２２における印字用エンドレスバンド２４の印字文字選択装置
２４  印字用エンドレスバンド（半周印字用、見出し文字汚れ防止用、図９）
２５  印字受け台（印字圧受け部材）
２５Ａ  印字受け台２５の固定用膨大部
２５Ｂ  印字受け台２５の固定用軸部
２６  第１の印字領域（全周印字）（図１０、図１１）
２７  第２の印字領域（半周印字）（図１０、図１１）
Ｌ  高い駆動用突起部７Ｅないし突起係止部１４Ｅが互いに係合して移動するわずかな間隔（ラップ長さ）
Ｒ  インキローラ
Ｓ１  ガイド用長窓１４Ｃとストッパーガイド部３Ｂとの間の上側の間隙
Ｓ２  ガイド用長窓１４Ｃとストッパーガイド部３Ｂとの間の下側の間隙
【図１】
0004291567.tif 000002
【図２】
0004291567.tif 000003
【図３】
0004291567.tif 000004
【図４】
0004291567.tif 000005
【図５】
0004291567.tif 000006
【図６】
0004291567.tif 000007
【図７】
0004291567.tif 000008
【図８】
0004291567.tif 000009
【図９】
0004291567.tif 000010
【図１０】
0004291567.tif 000011
【図１１】
0004291567.tif 000012
0004291567.tif 000013
0004291567.tif 000014
0004291567.tif 000015